(57)【要約】      （修正有）【課題】路面もしくは壁面に設置して用いる蓄光案内表示板であって、人がこれにつまずいたり怪我をしたり、あるいは表示板が路面や壁面からはがれたりするおそれのない蓄光案内表示板を提供する。【解決手段】路面もしくは壁面に設置して用いる蓄光案内表示板０１００であって、周縁部に周壁を備え、中央に凹部を備える盆状形状を有する金属製又はセラミック製の表示板本体０１１０と、凹部内であって凹部平面上に形成された反射層０１２０と、凹部内であって反射層の上層に形成された蓄光層０１３０と、凹部内であって蓄光層の上層に周壁の上面と略同一の高さの面に形成された透明保護層０１４０とを有し、周壁は、外方向に下る傾斜角４５度以下の傾斜面をなしていることを特徴とする。【選択図】図１
0003187993.tif 000002
【実用新案登録請求の範囲】
【請求項１】
路面もしくは壁面に設置して用いる蓄光案内表示板であって、
周縁部に周壁を備え、中央に凹部を備える盆状形状を有する金属製又はセラミック製の表示板本体と、
前記凹部内であって凹部平面上に形成された反射層と、
前記凹部内であって前記反射層の上層に形成された蓄光層と、
前記凹部内であって前記蓄光層の上層に前記周壁の上面と略同一の高さの面に形成された透明保護層とを有し、
前記周壁は、外方向に下る傾斜角４５度以下の傾斜面をなしていることを特徴とする蓄光案内表示板。
【考案の詳細な説明】
【技術分野】
【０００１】
本考案は、蓄光案内表示板に関する。
【背景技術】
【０００２】
路面もしくは壁面に設置して用いる蓄光案内表示板として、従来から金属製やセラミック製の基板の上に反射層、蓄光層、案内マーク（文字やピトグラムなど）を形成する層などを積層して形成したものが知られている（例えば、特許文献１参照）。
【先行技術文献】
【特許文献】
【０００３】
【特許文献１】特開２００７−２０００３６号公報
【考案の概要】
【考案が解決しようとする課題】
【０００４】
蓄光案内表示板は、上のような積層により厚みが数ミリメートル程度のものとなるが、従来のものは、単に基板の上に反射層、蓄光層、案内マーク等を配置しただけのものであった。図５は、従来の蓄光案内表示板の形状の一例を示す図である。この図に示すように、従来の蓄光案内表示板０５００は一般に積層側面０５０１が露出しており、表示板の側面が垂直に切り立った状態になっている。また、従来の蓄光案内表示板の中には、表示板全体を金属製などの枠で囲んだものもあるが、やはり表示板の側面が垂直に切り立った状態になっている。そこで、このような蓄光案内表示板を路面に設置した場合、これに人がつまずいたり怪我をしたり、あるいは人や物がぶつかってはがれたりするおそれがあった。同様に、これを壁面に設置した場合にも人や物がぶつかってはがれたりするおそれがあった。
【０００５】
そこで、本考案の解決すべき課題は、路面もしくは壁面に設置して用いる蓄光案内表示板であって、人がこれにつまずいたり怪我をしたり、あるいは表示板が路面や壁面からはがれたりするおそれのない蓄光案内表示板を提供することにある。
【課題を解決するための手段】
【０００６】
以上の課題を解決するため、本考案は、路面もしくは壁面に設置して用いる蓄光案内表示板であって、周縁部に周壁を備え、中央に凹部を備える盆状形状を有する金属製又はセラミック製の表示板本体と、前記凹部内であって凹部平面上に形成された反射層と、前記凹部内であって前記反射層の上層に形成された蓄光層と、前記凹部内であって前記蓄光層の上層に前記周壁の上面と略同一の高さの面に形成された透明保護層とを有し、前記周壁は、外方向に下る傾斜角４５度以下の傾斜面をなしていることを特徴とする蓄光案内表示板を提供する。
【考案の効果】
【０００７】
本考案により、路面もしくは壁面に設置して用いる蓄光案内表示板であって、人がこれにつまずいたり怪我をしたり、あるいは表示板が路面や壁面からはがれたりするおそれのない蓄光案内表示板を提供することが可能となる。
【図面の簡単な説明】
【０００８】
【図１】実施例１の蓄光案内表示板の形状の一例を示す図
【図２】実施例１の蓄光案内表示板の表示板本体の形状の一例を示す図
【図３】実施例１の蓄光案内表示板の表示板本体の形状の一例を示す図
【図４】実施例１の蓄光案内表示板の形状の一例を示す図
【図５】従来の蓄光案内表示板の形状の一例を示す図
【符号の説明】
【０００９】
０１００      蓄光案内表示板
０１１０、０２１０      表示板本体
０１２０      反射層
０１３０      蓄光層
０１４０      透明保護層
０１５０      案内マーク
０２１１      周壁
０２１２      凹部
【考案を実施するための形態】
【００１０】
以下に、本考案の実施例を説明する。なお、本考案はこれら実施例に何ら限定されるものではなく、その要旨を逸脱しない範囲において、種々なる態様で実施しうる。
【実施例１】
【００１１】
<概要>
【００１２】
本実施例の蓄光案内表示板は、盆状の表示板本体の凹部内に反射層、蓄光層及び透明保護層を形成したものであり、これら各層によって凹部内がほぼ一杯に満たされるようにしたものである。また、表示板本体の周壁がなだらかな傾斜面を有しているものである。これにより、各層の側面が直接露出することがなく、また、表示板の側面が垂直に切り立ったものとならず、人や物がぶつかっても、これにつまずいたり怪我をしたり、あるいは表示板がはがれたりするおそれのないようにしたものである。
【００１３】
<構成>
【００１４】
（蓄光案内表示板の形状）
【００１５】
図１は、本実施例の蓄光案内表示板の形状の一例を示す図である。このうち図１（ａ）は、蓄光案内表示板の全体形状を示す斜視図であり、（ｂ）は（ａ）のＸ−Ｘ断面図である。本例の蓄光案内表示板０１００は、表示板本体０１１０と、反射層０１２０と、蓄光層０１３０と、透明保護層０１４０とを有する。また、本図の例のように、蓄光案内表示板は案内マーク０１５０を有していてもよい。
【００１６】
（表示板本体）
【００１７】
図２は、本実施例の蓄光案内表示板の表示板本体の形状の一例を示す図である。本図に示すように、表示板本体０２１０は、周縁部に周壁０２１１を備え、中央に凹部０２１２を備える盆状形状を有する。
【００１８】
表示板本体の材料には、金属又はセラミックが用いられる。金属としては、例えば鉄、ニッケル、チタン、クロム、アルミニウム、銅、ステンレス、真鍮などが用いられる。セラミックとしては、例えばファインセラミックス、陶器、ガラスなどが用いられる。
【００１９】
表示板本体の寸法には特に限定はないが、例えば、縦（図中Ｌ１で示す）約１００ミリメートル、横（図中Ｌ２で示す）約２７０ミリメートル、周壁の上面までの高さ（図中Ｈで示す）約２ミリメートルのものが挙げられる。この場合、凹部の深さは例えば約１．５ミリメートルであり、表示板本体のうち凹部の下側に位置する部分の厚みは約０．５ミリメートルである。また、表示板本体の形状にも特に限定はない。図２に示したものは、底面が略長方形の略直方体形状の一例であるが、その他、底面が略正方形の略直方体形状、略三角柱形状、略円柱形状などであってもよいし、底面が矢印形状などであってもよい。これに応じて、蓄光案内表示板の形状も様々なものとすることができる。
【００２０】
さらに、複数の蓄光案内表示板を組み合わせて用いることもできる。例えば、略三角柱形状の蓄光案内表示板と略直方体形状の蓄光案内表示板を組み合わせて矢印形状の蓄光案内表示板とするといったごときである。
【００２１】
本実施例の蓄光案内表示板を路面や壁面への設置方法としては、例えば、表示板本体の四隅にビス孔を設け、蓄光案内表示板をビスで留める方法が用いられる。あるいは、表示板本体の底面を接着剤で路面等に接着させる方法を用いてもよい。
【００２２】
また、路面や壁面は必ずしも精密な平面とは限らず、多少デコボコしている場合が考えられる。そこで、本実施例の蓄光案内表示板はこのようなデコボコした路面等に対しても円滑に設置できるような工夫がなされたものであることが好ましい。具体的には、例えば表示板本体をビス止めにより設置するタイプの蓄光案内表示板であれば、ビス孔より内側に位置する表示板本体の底面をやや上方に湾曲させることが考えられる。
【００２３】
図３は、本実施例の蓄光案内表示板の表示板本体の形状の一例を示す図であって、このように表示板本体の底面をやや内側に湾曲させた状態を図１と同様の断面図で示したものである。本図では、表示板本体の底面０３１３が図１に示した表示板本体の底面の位置（破線で示す）よりもやや上方に湾曲した状態が示されている。なお、表示板本体の底面を接着剤で接着させるタイプの蓄光案内表示板の場合にも、同様に表示板本体の底面を内側に湾曲させることで、デコボコした路面等であっても接着剤を充填する空間を確保することができる。さらに、図３に示したのと同様の表示板本体の底面の湾曲部分（図３において底面０３１３と破線の間の部分）にゴムや軟性樹脂等の軟らかい素材の部材を貼り付けてもよく、このようにすれば、路面等のデコボコの形状に合わせて表示板本体全体を路面等にぴったりと密着した状態で配置することが可能となる。
【００２４】
図４は、本実施例の蓄光案内表示板の形状の一例を示す図であって、上述のような様々な形状のものを正面図で示したものである。このうち図４（ａ）は、底面が略正方形の略直方体形状のもの、（ｂ）は略三角柱形状のもの、（ｃ）は略円柱形状のものを示す。また、（ｄ）は、略三角柱形状のものと底面が略長方形状の略直方体形状のものを組み合わせて矢印形状としたものを示す。
【００２５】
このように、表示板本体を周壁及び凹部を有する盆状形状のものとすることで、一つの効果として、次にのべるように反射層、蓄光層などを表示板本体の凹部内に収めて露出させないで済み、これによって人などが蓄光案内表示板にぶつかってもこれらの層がはがれないようにすることができる。またもう一つの効果として、表示板本体の凹部内に反射層、蓄光層などを収めることができることにより、従来の平板状の表示板本体の上にこれら各層を積み上げる方法に比べて蓄光案内表示板の厚みを薄くすることができる。
【００２６】
さらに、本実施例における表示板本体は、周壁が外方向に下る傾斜角４５度以下の傾斜面をなしている点に特徴がある。その目的は、従来のように蓄光案内表示板の側面が垂直に切り立った状態になっていると、これに人がつまずいたり怪我をしたり、あるいは人や物がぶつかって蓄光案内表示板が路面や壁面からはがれたりするおそれがあったため、これを避けることにある。従って、傾斜角の角度はできるだけ小さい（傾斜が緩やかである）ことが望ましい。なぜなら周壁の傾斜が緩やかであればあるほど、人や物がこれにぶつかるおそれが小さくなるからである。このような理由から傾斜角は４５度以下であることが求められる。
【００２７】
もっとも、傾斜を緩やかにすればするほど、周壁上面までの高さが同じであれば周壁の裾野が広がり、表示板本体の底面積を大きくする必要が生じてしまう。従って、人や物が周壁にぶつかるおそれをなるべく小さくしつつ、表示板本体の大きさをコンパクトにするという観点から、周壁が外方向に下る傾斜角の具体的な角度は、これら両者の要請を踏まえて適切に設定される。かかる両者の要請を満たす好適な傾斜角は、約１５〜３０度である。図１（ｂ）に示した蓄光案内表示板の表示板本体は、傾斜角αが約３０度の好適な一例を示す。
【００２８】
なお、図１（ｂ）の例にも示されているように、表示板本体の機械的強度を増すために、表示板本体の周縁部分は丸みを帯びていることが望ましい。
【００２９】
（反射層）
【００３０】
反射層は前記凹部内であって凹部平面上に形成された、反射材からなる層である。反射材は、蓄光材からの光を反射させて視認性を向上させるためのものである。反射材の原料としては、例えば酸化チタン、シリカなどの白色顔料が用いられる。反射層の厚みは、例えば上述の縦約１００ミリメートル×横約２７０ミリメートル×高さ約２ミリメートルで凹部の深さが約１．５ミリメートルの例（以下に示す各層の寸法の例についても同様の例で示す）でいえば、約０．１ミリメートルである。
【００３１】
反射層の形成方法としては、いくつかの方法を用いることができる。例えば、反射材原料を透光性に優れた透明樹脂溶液、例えばアクリル樹脂やポリカーボネイト樹脂等の溶液に混合した液材を凹部内に流し込む方法が考えられる。この方法だと、流し込むだけで反射層を平らに形成することが可能となり、また、乾燥したときの反射層の厚みに見合う液材の量を予め実験等に基づいて知ることができるので、単に所定量の液材を表示板本体の凹部内に流し込むだけで簡単に反射層を形成することができるというメリットがある。
【００３２】
このほか、反射層の形成方法として、反射材を凹部内に塗布したり、シート状・フィルム状の反射材原料を凹部内に貼り付けたりする方法を用いてもよい。
【００３３】
（蓄光層）
【００３４】
蓄光層は、前記凹部内であって前記反射層の上層に形成された、蓄光材原料を含む層である。蓄光材原料としては、アルミン酸ストロンチウム（ＳｒＡｌ２Ｏ４、Ｓｒ４Ａｌ１４Ｏ２５など）を母結晶とし、これにケイ素、リン、カルシウム、セリウム、ユーロピウム、ディスプロシウムなどを添加したもの（以下「アルミン酸ストロンチウム系蓄光材原料」という）や硫化亜鉛系のものなどが用いられる。特に、アルミン酸ストロンチウム系蓄光材原料は、高輝度での発光を長時間保つことができるので最も好適である。蓄光層の厚みは、例えば約０．１〜０．９ミリメートルである。
【００３５】
蓄光層の形成方法についても、反射層の形成方法と同様に、蓄光材原料を含む液材を反射層の上層に流し込む方法や、蓄光材を凹部内に塗布する方法、あるいはシート状・フィルム状の蓄光材を凹部内に貼り付ける方法が用いられる。
【００３６】
（案内マーク）
【００３７】
案内マークは、案内のためのメッセージを文字やピトグラムなどで表示したものである。本考案においては、案内マークは必須の構成要素ではないが、これを備える場合には、案内マークは蓄光層の上層に配置される。メッセージの内容には特に限定はないが、例えば非常口や避難経路への誘導案内などの非常時のためのメッセージが考えられる。案内マーク形成の具体的な方法としては、例えば、メッセージを記した不透光性のフィルムやシートを蓄光層の上に接着剤等で貼り付けたり、蓄光層の上に不透光性の塗料を塗布・印刷したりといった方法が用いられる。あるいは、蓄光性の塗料を塗布したフィルムやシートを貼り付けたり蓄光塗料を蓄光層の上に直接塗布したりしてもよく、これらの場合には、蓄光層・蓄光塗料の発光色の違い（明色と暗色など）によってメッセージを表示することができる。
【００３８】
（透明保護層）
【００３９】
透明保護層は、前記凹部内であって前記蓄光層の上層に前記周壁の上面と略同一の高さの面に形成された、透明保護材料からなる層である。蓄光案内表示板が案内マークを有する場合には、案内マークの上層にも透明保護層が形成される。透明保護材料の一例としては、透明アクリル樹脂や透明フッ素樹脂（例えばＰＴＦＥ（Ｐｏｌｙｔｅｔｒａｆｌｕｏｒｏｅｔｈｙｌｅｎｅ））などが用いられる。
【００４０】
透明保護層を形成する目的は、蓄光層や案内マークの剥離などの損傷や劣化を防止することにある。また、透明保護層は、蓄光層からの発光を拡散させて蓄光案内表示板の輝度を増す役目も負っている。
【００４１】
透明保護層を周壁の上面と略同一の高さの面に形成する理由は、これにより、これにより蓄光案内表示板全体の上面を、高さが周壁と略同一の平面状とし、例えば蓄光案内表示板を路面に設置する場合であれば、人がその上に乗ったときにつまずいたり滑ったりしないようにするためである。従って、この目的を阻害しない程度であれば、透明保護層が周壁の高さ以上に若干盛り上がっていたり、あるいは逆に若干窪んでいたりしても差支えない。
【００４２】
透明保護層の形成方法についても、反射層などの形成方法と同様に、透明保護材料からなる液材を蓄光層の上層に流し込む方法や、透明保護材料を凹部内に塗布する方法、あるいはシート状・フィルム状の透明保護材料を凹部内に貼り付ける方法が用いられる。
【００４３】
<効果>
【００４４】
本実施例の考案により、路面もしくは壁面に設置して用いる蓄光案内表示板であって、人がこれにつまずいたり怪我をしたり、あるいは表示板が路面や壁面からはがれたりするおそれのない蓄光案内表示板を提供することが可能となる。
【図１】
0003187993.tif 000003
【図２】
0003187993.tif 000004
【図３】
0003187993.tif 000005
【図４】
0003187993.tif 000006
【図５】
0003187993.tif 000007